(57)【要約】【課題】バーを什器から取り外すことなくバーに簡単に吊り下げたり、バーから簡単に取り外すことができ、かつ、商品と一緒にバーから外れ、床面に落下してしまうことを防止すること。【解決手段】正面３ａ、背面３ｂ、上面３ｃ、および下面３ｄを備え、かつ、断面視形状を呈するバーに掛止される上部フック１１と、商品が掛止される下部フック１２とを有するフック本体４を備えた商品吊り下げ用フック１であって、前記上部フック１１が、前記正面３ａと対向するようにして配置されて、前記正面３ａの少なくとも一部と接するようにして縦方向に延びる第１の縦部材２１と、前記背面３ｂと対向するようにして配置されて、前記背面３ｂの少なくとも一部と接するようにして縦方向に延びる第２の縦部材２２と、前記上面３ｃと対向するようにして配置されて、前記上面３ｃの少なくとも一部と接するようにして横方向に延びる第３の横部材２３と、を備えている。【選択図】図３
0003169971.tif 000002
【実用新案登録請求の範囲】
【請求項１】
正面、背面、上面、および下面を備え、かつ、断面視形状を呈するバーに掛止される上部フックと、商品が掛止される下部フックとを有するフック本体を備えた商品吊り下げ用フックであって、
前記上部フックが、前記正面と対向するようにして配置されて、前記正面の少なくとも一部と接するようにして縦方向に延びる第１の縦部材と、
前記背面と対向するようにして配置されて、前記背面の少なくとも一部と接するようにして縦方向に延びる第２の縦部材と、
前記上面と対向するようにして配置されて、前記上面の少なくとも一部と接するようにして横方向に延びる第３の横部材と、を備えていることを特徴とする商品吊り下げ用フック。
【請求項２】
前記第１の縦部材が、前記正面のおおよそ全体にわたって接するとともに、前記第２の縦部材が、前記背面のおおよそ全体にわたって接するようにして形成されていることを特徴とする請求項１に記載の商品吊り下げ用フック。
【請求項３】
上面、下面、および側面を備え、厚み方向に貫通するとともに、内周面が前記第１の縦部材の外周面と接するようにして前記第１の縦部材の下端部に嵌合される貫通穴と、厚み方向に貫通し、前記貫通穴と前記側面とを連通する一つの溝と、を有する表示具を備えていることを特徴とする請求項１または２に記載の商品吊り下げ用フック。
【請求項４】
前記表示具の高さは、前記バーに掛止された前記フック本体の前記第１の縦部材の下端部に前記表示具の前記貫通穴が嵌合された際に、前記表示具の前記上面が前記バーの前記下面と接し、前記表示具の前記下面が前記下部フックの頂面と接するように設定されていることを特徴とする請求項３に記載の商品吊り下げ用フック。
【請求項５】
前記表示具は、再利用可能な材料で、一体的に形成されていることを特徴とする請求項３または４に記載の商品吊り下げ用フック。
【考案の詳細な説明】
【技術分野】
【０００１】
本考案は、例えば、ホームセンターやアパレル店舗において商品を陳列する、あるいはホームセンターやアパレル店舗のバックヤード（在庫品を保管する場所）において商品を陳列するのに用いて好適な商品吊り下げ用フックに関するものである。
【背景技術】
【０００２】
ホームセンターやアパレル店舗において商品を陳列する、あるいはホームセンターやアパレル店舗のバックヤード（在庫品を保管する場所）において商品を陳列するのに用いられる商品吊り下げ用フックとしては、例えば、特許文献１に開示されているものが知られている。
【先行技術文献】
【特許文献】
【０００３】
【特許文献１】実用新案登録第３０３８９１８号公報
【考案の概要】
【考案が解決しようとする課題】
【０００４】
しかしながら、上記特許文献１に開示されている吊り下げフック１は、上部フック２の内径がバー９の内径よりも大きく、かつ、上部フック２の先端に設けられた案内部５と、上部フック２の基端との間に、バー９の外径よりも大きな隙間が形成されている。そのため、下部フック４に吊り下げられている商品を取り外す際に、上部フック２が商品と一緒にバー９から外れ、吊り下げフック１が床面に落下してしまうことがあった。
【０００５】
そこで近年、図２０から図２２に示すような商品吊り下げ用フック５１、すなわち、商品と一緒にバー５２から外れ、床面に落下してしまうことを回避することのできる商品吊り下げ用フック５１が考案されている。
しかしながら、図２０から図２２に示すような商品吊り下げ用フック５１では、当該商品吊り下げ用フック５１をバー５２に吊り下げたり（引っ掛けたり）、バー５２から取り外す際に、予めバー５２の全体を什器（例えば、店内に設置された壁、棚）から取り外さなければならず、商品吊り下げ用フック５１をバー５２に吊り下げたり、バー５２から取り外す際の作業が煩雑になり、無用な労力が必要とされるといった問題点があった。
【０００６】
本考案は、上記の事情に鑑みてなされたもので、バーを什器から取り外すことなくバーに簡単に吊り下げたり、バーから簡単に取り外すことができ、かつ、商品と一緒にバーから外れ、床面に落下してしまうことを防止することのできる商品吊り下げ用フックを提供することを目的とする。
【課題を解決するための手段】
【０００７】
本考案は、上記課題を解決するため、以下の手段を採用した。
本考案に係る商品吊り下げ用フックは、正面、背面、上面、および下面を備え、かつ、断面視形状を呈するバーに掛止される上部フックと、商品が掛止される下部フックとを有するフック本体を備えた商品吊り下げ用フックであって、前記上部フックが、前記正面と対向するようにして配置されて、前記正面の少なくとも一部と接するようにして縦方向に延びる第１の縦部材と、前記背面と対向するようにして配置されて、前記背面の少なくとも一部と接するようにして縦方向に延びる第２の縦部材と、前記上面と対向するようにして配置されて、前記上面の少なくとも一部と接するようにして横方向に延びる第３の横部材と、を備えている。
【０００８】
本考案に係る商品吊り下げ用フックによれば、バーの下面と対向する位置には、上部フックおよび下部フックを構成する（形成する）部材が配置されていないので、バーの上方からバーに向かって上部フックを移動させるだけで、上部フックをバーに簡単に吊り下げる（引っ掛ける）ことができ、また、バーの上方に向かって上部フックを移動させるだけで、上部フックをバーから簡単に取り外すことができる。
これにより、バーを什器から取り外すことなく商品吊り下げ用フックをバーに簡単に吊り下げたり、バーから簡単に取り外すことができる。
また、第１の縦部材と第２の縦部材との間にバーの正面および背面が挟み込まれるように、すなわち、第１の縦部材とバーの正面との間、および第２の縦部材とバーの背面との間に摩擦抵抗が生じるように構成されている。
これにより、商品吊り下げ用フックが商品と一緒にバーから外れ、床面に落下してしまうことを防止することができる。
【０００９】
上記商品吊り下げ用フックにおいて、前記第１の縦部材が、前記正面のおおよそ全体にわたって接するとともに、前記第２の縦部材が、前記背面のおおよそ全体にわたって接するようにして形成されているとさらに好適である。
【００１０】
このような商品吊り下げ用フックによれば、第１の縦部材とバーの正面との摩擦抵抗、および第２の縦部材とバーの背面との摩擦抵抗が大きくなる（増加する）ように構成されている。
これにより、商品吊り下げ用フックが商品と一緒にバーから外れ、床面に落下してしまうことをより一層防止することができる。
【００１１】
上記商品吊り下げ用フックにおいて、上面、下面、および側面を備え、厚み方向に貫通するとともに、内周面が前記第１の縦部材の外周面と接するようにして前記第１の縦部材の下端部に嵌合される貫通穴と、厚み方向に貫通し、前記貫通穴と前記側面とを連通する一つの溝と、を有する表示具を備えているとさらに好適である。
【００１２】
このような商品吊り下げ用フックによれば、吊り下げられている、例えば、衣料品のサイズ（「Ｓ」，「Ｍ」，「Ｌ」等）を一目で把握することができ、販売員の作業効率を向上させることができて、購買者の商品選択をより容易なものとすることができる。
【００１３】
上記商品吊り下げ用フックにおいて、前記表示具の高さは、前記バーに掛止された前記フック本体の前記第１の縦部材の下端部に前記表示具の前記貫通穴が嵌合された際に、前記表示具の前記上面が前記バーの前記下面と接し、前記表示具の前記下面が前記下部フックの頂面と接するように設定されているとさらに好適である。
【００１４】
このような商品吊り下げ用フックによれば、バーの下面と下部フックの頂面との間に表示具の上面および下面が挟み込まれるように、すなわち、バーの上方への上部フックの抜け出しが防止される（移動が拘束される）ように構成されている。
これにより、商品吊り下げ用フックが商品と一緒にバーから外れ、床面に落下してしまうことを確実に防止することができる。
【００１５】
上記商品吊り下げ用フックにおいて、前記表示具は、再利用可能な材料で、一体的に形成されているとさらに好適である。
【００１６】
このような商品吊り下げ用フックによれば、表示具が、バーに掛止された下部フックの頂面とバーの下面との長さよりも若干大きい（オーバーサイズの）高さに形成されたものであっても、バーに掛止されたフック本体の第１の縦部材の下端部に表示具の貫通穴を嵌合させる際に、表示具が若干変形することになる。
これにより、表示具が、バーに掛止された下部フックの頂面とバーの下面との長さよりも若干大きい（オーバーサイズの）高さに形成されたものであっても、バーに掛止されたフック本体の第１の縦部材の下端部に表示具の貫通穴を嵌合させることができる。
【考案の効果】
【００１７】
本考案に係る商品吊り下げ用フックによれば、バーを什器から取り外すことなくバーに簡単に吊り下げたり、バーから簡単に取り外すことができ、かつ、商品と一緒にバーから外れ、床面に落下してしまうことを防止することができるという効果を奏する。
【図面の簡単な説明】
【００１８】
【図１】本考案の一実施形態に係る商品吊り下げ用フックを正面側から見た斜視図であって、バーに吊り下げられた当該商品吊り下げ用フックにハンガーが吊り下げられている状態を示す図である。
【図２】本考案の一実施形態に係る商品吊り下げ用フックを正面側から見た正面図であって、バーに吊り下げられた状態を示す図である。
【図３】本考案の一実施形態に係る商品吊り下げ用フックを右側方から見た右側面図であって、バーに吊り下げられた状態を示す図である。
【図４】本考案の一実施形態に係る商品吊り下げ用フックを上方から見た平面図（上面図）であって、バーに吊り下げられた状態を示す図である。
【図５】本考案の一実施形態に係る商品吊り下げ用フックを構成するフック本体を正面側から見た斜視図である。
【図６】本考案の一実施形態に係る商品吊り下げ用フックを構成するフック本体を正面側から見た正面図である。
【図７】本考案の一実施形態に係る商品吊り下げ用フックを構成するフック本体を背面側から見た背面図である。
【図８】本考案の一実施形態に係る商品吊り下げ用フックを構成するフック本体を左側方から見た左側面図である。
【図９】本考案の一実施形態に係る商品吊り下げ用フックを構成するフック本体を右側方から見た右側面図である。
【図１０】本考案の一実施形態に係る商品吊り下げ用フックを構成するフック本体を上方から見た平面図（上面図）である。
【図１１】本考案の一実施形態に係る商品吊り下げ用フックを構成するフック本体を下方から見た底面図である。
【図１２】本考案の一実施形態に係る商品吊り下げ用フックを構成する表示具を正面側から見た斜視図である。
【図１３】本考案の一実施形態に係る商品吊り下げ用フックを構成する表示具を背面側から見た背面図である。
【図１４】本考案の一実施形態に係る商品吊り下げ用フックを構成する表示具を正面側から見た正面図である。
【図１５】本考案の一実施形態に係る商品吊り下げ用フックを構成する表示具を左側方から見た左側面図である。
【図１６】本考案の一実施形態に係る商品吊り下げ用フックを構成する表示具を右側方から見た右側面図である。
【図１７】本考案の一実施形態に係る商品吊り下げ用フックを構成する表示具を上方から見た平面図（上面図）である。
【図１８】本考案の一実施形態に係る商品吊り下げ用フックを構成する表示具を下方から見た底面図である。
【図１９】本考案の他の実施形態に係る商品吊り下げ用フックを右側方から見た右側面図であって、バーに吊り下げられた状態を示す図である。
【図２０】従来の商品吊り下げ用フックを正面側から見た斜視図であって、バーに吊り下げられた状態を示す図である。
【図２１】従来の商品吊り下げ用フックを正面側から見た正面図であって、バーに吊り下げられた状態を示す図である。
【図２２】従来の商品吊り下げ用フックを右側方から見た右側面図であって、バーに吊り下げられた状態を示す図である。
【考案を実施するための形態】
【００１９】
以下、本考案の一実施形態に係る商品吊り下げ用フックについて、図１から図１８を参照しながら説明する。
図１は本実施形態に係る商品吊り下げ用フックを正面側から見た斜視図であって、バーに吊り下げられた当該商品吊り下げ用フックにハンガーが吊り下げられている状態を示す図、図２は本実施形態に係る商品吊り下げ用フックを正面側から見た正面図であって、バーに吊り下げられた状態を示す図、図３は本実施形態に係る商品吊り下げ用フックを右側方から見た右側面図であって、バーに吊り下げられた状態を示す図、図４は本実施形態に係る商品吊り下げ用フックを上方から見た平面図（上面図）であって、バーに吊り下げられた状態を示す図、図５は本実施形態に係る商品吊り下げ用フックを構成するフック本体を正面側から見た斜視図、図６は本実施形態に係る商品吊り下げ用フックを構成するフック本体を正面側から見た正面図、図７は本実施形態に係る商品吊り下げ用フックを構成するフック本体を背面側から見た背面図、図８は本実施形態に係る商品吊り下げ用フックを構成するフック本体を左側方から見た左側面図、図９は本実施形態に係る商品吊り下げ用フックを構成するフック本体を右側方から見た右側面図、図１０は本実施形態に係る商品吊り下げ用フックを構成するフック本体を上方から見た平面図（上面図）、図１１は本実施形態に係る商品吊り下げ用フックを構成するフック本体を下方から見た底面図、図１２は本実施形態に係る商品吊り下げ用フックを構成する表示具を正面側から見た斜視図、図１３は本実施形態に係る商品吊り下げ用フックを構成する表示具を背面側から見た背面図、図１４は本実施形態に係る商品吊り下げ用フックを構成する表示具を正面側から見た正面図、図１５は本実施形態に係る商品吊り下げ用フックを構成する表示具を左側方から見た左側面図、図１６は本実施形態に係る商品吊り下げ用フックを構成する表示具を右側方から見た右側面図、図１７は本実施形態に係る商品吊り下げ用フックを構成する表示具を上方から見た平面図（上面図）、図１８は本実施形態に係る商品吊り下げ用フックを構成する表示具を下方から見た底面図である。
【００２０】
図１から図４に示すように、本実施形態に係る商品吊り下げ用フック１は、図示しない衣料等が掛けられたハンガー２等をバー３に吊り下げるのに用いられるものであって、フック本体４と、表示具５とを備えている。
フック本体４は、図５から図１１に示すように、バー３に掛止される（引っ掛けられる）上部フック１１と、ハンガー２等が掛止される（引っ掛けられる）下部フック１２とを備えている。
【００２１】
上部フック１１は、図３および図９に示すように、右側面視コ字形状を呈し、図８に示すように、左側面視コ字形状を呈する丸棒状の部材であり、バー３（図３参照）の正面３ａと対向するようにして配置されて、正面３ａ（および背面３ｂ）と平行になるようにして縦方向（高さ方向：図３において上下方向）に延びる（第１の）縦部材２１と、バー３の背面３ｂと対向するようにして配置されて、背面３ｂ（および正面３ａ）と平行になるようにして縦方向に延びる（第２の）縦部材２２と、バー３の上面３ｃと対向するようにして配置されて、上面３ｃ（および下面３ｄ）と平行になるようにして横方向（幅方向：奥行き方向：図３において左右方向）に延びる（第３の）横部材２３と、を備えている。縦部材２１は、縦部材２２の長さと、表示具５（図１２等参照）の高さとを足し合わせた長さと同じ長さ、あるいは縦部材２２の長さと、表示具５の高さとを足し合わせた長さよりもわずかに（若干）短い長さ、すなわち、表示具５の上面３１がバー３の下面３ｄと接し、下面３２が下部フック１２の頂面（上面）と接した状態で、バー３に掛止されたフック本体４の縦部材２１の下端部に表示具５の貫通穴３４を嵌合させることができる長さに設定されている。
【００２２】
縦部材２１と横部材２３とは、縦部材２１の上端（一端）と横部材２３の前端（一端）とが連続するとともに、一体物となるようにして連結（接続）され、縦部材２２と横部材２３とは、縦部材２２の上端（一端）と横部材２３の後端（他端）とが連続するとともに、一体物となるようにして連結（接続）されている。
また、図３に示すように、バー３の正面３ａと対向する縦部材２１の外周面は、バー３の縦方向の（おおよそ）全体にわたって接し、バー３の背面３ｂと対向する縦部材２２の外周面は、バー３の縦方向の（おおよそ）全体にわたって接するとともに、バー３の上面３ｃと対向する横部材２３の外周面は、バー３の幅方向の（おおよそ）全体にわたって接している。
【００２３】
下部フック１２は、図２および図６に示すように、正面視リング形状を呈し、図７に示すように、背面視リング形状を呈する丸棒状の部材であり、バー３の長手方向（長さ方向：図２および図４において左右方向）と平行になるとともに、上部フック１１の延在方向（延びる方向）と直交するようにして配置されている（延びている）。
【００２４】
上部フック１１と下部フック１２とは、縦部材２１の下端（他端）と下部フック１２の頂面（上端）とが連続するようにして連結、あるいは縦部材２１の下端と下部フック１２の頂面とが連続するとともに、一体物となるようにして連結（接続）されている。
なお、上部フック１１および下部フック１２は、ステンレス鋼等の金属を用いて別体に、あるいはステンレス鋼等の金属や再利用可能な材料である樹脂等を用いて一体に形成されたものであり、再利用可能な材料である樹脂等を用いて一体に形成する方法としては、射出成型等の公知の方法を用いることができ、特に限定するものではない。
【００２５】
表示具５は、図１７に示すように、平面視（上面視）おおよそ円形状（Ｃ字形状）を呈し、図１８に示すように、底面視おおよそ円形状（Ｃ字形状）を呈する円錐台状の部材、すなわち、上面３１と、上面３１よりも大きな外径を有する下面３２と、上面３１と下面３２とを連続するようにして連結（接続）する側面３３と、を備えている。表示具５の高さは、バー３に掛止されたフック本体４の縦部材２１の下端部に表示具５の貫通穴３４が嵌合された際に、上面３１がバー３の下面３ｄと接し、下面３２が下部フック１２の頂面（上面）と接するように設定されている。
なお、側面３３には、ハンガー２等に掛けられた衣料品のサイズを示す「Ｓ」，「Ｍ」，「Ｌ」等の記号や、その他の情報を表示する記号等が付されている。具体的には、上述の記号等をシルクスクリーン印刷等の種種の印刷方法を用いて直接側面３３に印刷する方法や、上述の記号等が記載されたシールをハンガーに貼り付ける方法が知られている。
【００２６】
図１７および図１８に示すように、表示具５の径方向における中央部には、厚み方向（図１３から図１６において上下方向）に貫通し、内周面（表面）が縦部材２１の外周面と接するようにして縦部材２１を受け入れる（縦部材２１と嵌合する）貫通穴３４が設けられている。また、表示具５には、厚み方向に貫通するとともに、貫通穴３４と側面３３とを連通する、平面視（上面視）および底面視Ｔ字形状を呈する一つの溝３５が設けられている（形成されている）。
【００２７】
本実施形態に係る商品吊り下げ用フック１によれば、バー３の下面３ｄと対向する位置には、上部フック１１および下部フック１２を構成する（形成する）部材が配置されていないので、バー３の上方からバー３に向かって上部フック１１を移動させるだけで、上部フック１１をバー３に簡単に吊り下げる（引っ掛ける）ことができ、また、バー３の上方に向かって上部フック１１を移動させるだけで、上部フック１１をバー３から簡単に取り外すことができる。
これにより、バー３を什器から取り外すことなく商品吊り下げ用フック１をバー３に簡単に吊り下げたり、バー３から簡単に取り外すことができる。
また、縦部材２１と縦部材２２との間にバー３の正面３ａおよび背面３ｂが挟み込まれるように、すなわち、縦部材２１とバー３の正面３ａとの間、および縦部材２２とバー３の背面３ｂとの間に摩擦抵抗が生じるように構成されている。
これにより、商品吊り下げ用フック１が商品と一緒にバー３から外れ、床面に落下してしまうことを防止することができる。
【００２８】
さらに、本実施形態に係る商品吊り下げ用フック１によれば、縦部材２１が、正面３ａのおおよそ全体にわたって接するとともに、縦部材２２が、背面３ｂのおおよそ全体にわたって接するようにして形成されている。すなわち、縦部材２１とバー３の正面３ａとの摩擦抵抗、および縦部材２２とバー３の背面３ｂとの摩擦抵抗が大きくなる（増加する）ように構成されている。
これにより、商品吊り下げ用フック１が商品と一緒にバー３から外れ、床面に落下してしまうことをより一層防止することができる。
【００２９】
さらにまた、本実施形態に係る商品吊り下げ用フック１によれば、上面３１、下面３２、および側面３３を備え、厚み方向に貫通するとともに、内周面３４が縦部材２１の外周面と接するようにして縦部材２１の下端部に嵌合される貫通穴３５と、厚み方向に貫通し、貫通穴３４と側面３３とを連通する一つの溝３５と、を有する表示具を備えている。
これにより、吊り下げられている、例えば、衣料品のサイズ（「Ｓ」，「Ｍ」，「Ｌ」等）を一目で把握することができ、販売員の作業効率を向上させることができて、購買者の商品選択をより容易なものとすることができる。
【００３０】
さらにまた、本実施形態に係る商品吊り下げ用フック１によれば、表示具５の高さは、バー３に掛止されたフック本体４の縦部材２１の下端部に表示具５の貫通穴３４が嵌合された際に、表示具５の上面３１がバー３の下面３ｄと接し、表示具５の下面３２が下部フック１２の頂面と接するように設定されている。すなわち、バー３の下面３ｄと下部フック１２の頂面との間に表示具５の上面３１および下面３２が挟み込まれるように、言い換えれば、バー３の上方への上部フック１１の抜け出しが防止される（移動が拘束される）ように構成されている。
これにより、商品吊り下げ用フック１が商品と一緒にバーから外れ、床面に落下してしまうことを確実に防止することができる。
【００３１】
さらにまた、本実施形態に係る商品吊り下げ用フック１によれば、表示具５は、再利用可能な材料で、一体的に形成されている。すなわち、表示具５が、バー３に掛止された下部フック１２の頂面とバー３の下面３ｄとの長さよりも若干大きい（オーバーサイズの）高さに形成されたものであっても、バー３に掛止されたフック本体４の縦部材２１の下端部に表示具５の貫通穴３４を嵌合させる際に、表示具５が若干変形することになる。
これにより、表示具５が、バー３に掛止された下部フック１２の頂面とバー３の下面３ｄとの長さよりも若干大きい（オーバーサイズの）高さに形成されたものであっても、バー３に掛止されたフック本体４の縦部材２１の下端部に表示具５の貫通穴３４を嵌合させることができる。
【００３２】
本考案の他の実施形態に係る商品吊り下げ用フックについて、図１９を参照しながら説明する。
図１９は本実施形態に係る商品吊り下げ用フックを右側方から見た右側面図であって、バーに吊り下げられた状態を示す図である。
本実施形態に係る商品吊り下げ用フック４０は、上部フック１１と下部フック１２とを備えたフック本体４の代わりに上部フック４１と下部フック１２とを備えたフック本体４４を備えているという点で上述した実施形態のものと異なる。その他の構成要素については上述した実施形態のものと同じであるので、ここではそれら構成要素についての説明は省略する。
なお、上述した実施形態と同一の部材には同一の符号を付している。
【００３３】
図１９に示すように、上部フック４１は、右側面視おおよそコ字形状を呈する丸棒状の部材であり、バー３の正面３ａと対向するようにして配置されて、正面３ａ（および背面３ｂ）と平行になるようにして縦方向（高さ方向：図１９において上下方向）に延びる（第１の）縦部材５１と、バー３の背面３ｂと対向するようにして配置されて、背面３ｂ（および正面３ａ）と平行になるようにして縦方向に延びる（第２の）縦部材５２と、バー３の上面３ｃと対向するようにして配置されて横方向（幅方向：奥行き方向：図１９において左右方向）に延びるとともに、右側面視おおよそハート形（Ｖ字形状）を呈する（第３の）横部材５３と、を備えている。縦部材５１は、縦部材５２の長さと、表示具５（図１２等参照）の高さとを足し合わせた長さと同じ長さ、あるいは縦部材５２の長さと、表示具５の高さとを足し合わせた長さよりもわずかに（若干）短い長さ、すなわち、表示具５の上面３１がバー３の下面３ｄと接し、下面３２が下部フック１２の頂面（上面）と接した状態で、バー３に掛止されたフック本体４４の縦部材５１の下端部に表示具５の貫通穴３４を嵌合させることができる長さに設定されている。
【００３４】
縦部材５１と横部材５３とは、縦部材５１の上端（一端）とバー３の正面３ａ側に位置する横部材２３の下端（一端）とが連続するとともに、一体物となるようにして連結（接続）され、縦部材５２と横部材５３とは、縦部材５２の上端（一端）とバー３の背面３ｂ側に位置する横部材２３の下端（一端）とが連続するとともに、一体物となるようにして連結（接続）されている。
また、図１９に示すように、バー３の正面３ａと対向する縦部材５１の外周面は、バー３の縦方向のおおよそ全体にわたって接し、バー３の背面３ｂと対向する縦部材５２の外周面は、バー３の縦方向のおおよそ全体にわたって接するとともに、バー３の上面３ｃと対向する横部材５３の外周面は、バー３の幅方向における中央部の一点で接している。
【００３５】
本実施形態に係る商品吊り下げ用フック４０によれば、バー３の下面３ｄと対向する位置には、上部フック４１および下部フック１２を構成する（形成する）部材が配置されていないので、バー３の上方からバー３に向かって上部フック４１を移動させるだけで、上部フック４１をバー３に簡単に吊り下げる（引っ掛ける）ことができ、また、バー３の上方に向かって上部フック４１を移動させるだけで、上部フック４１をバー３から簡単に取り外すことができる。
これにより、バー３を什器から取り外すことなく商品吊り下げ用フック４０をバー３に簡単に吊り下げたり、バー３から簡単に取り外すことができる。
また、縦部材５１と縦部材５２との間にバー３の正面３ａおよび背面３ｂが挟み込まれるように、すなわち、縦部材５１とバー３の正面３ａとの間、および縦部材５２とバー３の背面３ｂとの間に摩擦抵抗が生じるように構成されている。
これにより、商品吊り下げ用フック４０が商品と一緒にバー３から外れ、床面に落下してしまうことを防止することができる。
【００３６】
さらに、本実施形態に係る商品吊り下げ用フック４０によれば、上面３１、下面３２、および側面３３を備え、厚み方向に貫通するとともに、内周面３４が縦部材５１の外周面と接するようにして縦部材５１の下端部に嵌合される貫通穴３５と、厚み方向に貫通し、貫通穴３４と側面３３とを連通する一つの溝３５と、を有する表示具を備えている。
これにより、吊り下げられている、例えば、衣料品のサイズ（「Ｓ」，「Ｍ」，「Ｌ」等）を一目で把握することができ、販売員の作業効率を向上させることができて、購買者の商品選択をより容易なものとすることができる。
【００３７】
さらにまた、本実施形態に係る商品吊り下げ用フック４０によれば、表示具５の高さは、バー３に掛止されたフック本体４４の縦部材５１の下端部に表示具５の貫通穴３４が嵌合された際に、表示具５の上面３１がバー３の下面３ｄと接し、表示具５の下面３２が下部フック１２の頂面と接するように設定されている。すなわち、バー３の下面３ｄと下部フック１２の頂面との間に表示具５の上面３１および下面３２が挟み込まれるように、言い換えれば、バー３の上方への上部フック４１の抜け出しが防止される（移動が拘束される）ように構成されている。
これにより、商品吊り下げ用フック４０が商品と一緒にバーから外れ、床面に落下してしまうことを確実に防止することができる。
【００３８】
さらにまた、本実施形態に係る商品吊り下げ用フック４０によれば、表示具５は、再利用可能な材料で、一体的に形成されている。すなわち、表示具５が、バー３に掛止された下部フック１２の頂面とバー３の下面３ｄとの長さよりも若干大きい（オーバーサイズの）高さに形成されたものであっても、バー３に掛止されたフック本体４４の縦部材５１の下端部に表示具５の貫通穴３４を嵌合させる際に、表示具５が若干変形することになる。
これにより、表示具５が、バー３に掛止された下部フック１２の頂面とバー３の下面３ｄとの長さよりも若干大きい（オーバーサイズの）高さに形成されたものであっても、バー３に掛止されたフック本体４の縦部材２１の下端部に表示具５の貫通穴３４を嵌合させることができる。
【００３９】
なお、本考案は上述した実施形態に限定されるものではなく、本考案の要旨を逸脱しない範囲内において適宜変更することができる。
【符号の説明】
【００４０】
１    商品吊り下げ用フック
３    バー
３ａ  正面
３ｂ  背面
３ｃ  上面
３ｄ  下面
４    フック本体
５    表示具
１１    上部フック
１２    下部フック
２１    （第１の）縦部材
２２    （第２の）縦部材
２３    （第３の）横部材
３１    上面
３２    下面
３３    側面
３４    貫通穴
３５    溝
４０    商品吊り下げ用フック
４１    上部フック
４４    フック本体
５１    （第１の）縦部材
５２    （第２の）縦部材
５３    （第３の）横部材
【図１】
0003169971.tif 000003
【図２】
0003169971.tif 000004
【図３】
0003169971.tif 000005
【図４】
0003169971.tif 000006
【図５】
0003169971.tif 000007
【図６】
0003169971.tif 000008
【図７】
0003169971.tif 000009
【図８】
0003169971.tif 000010
【図９】
0003169971.tif 000011
【図１０】
0003169971.tif 000012
【図１１】
0003169971.tif 000013
【図１２】
0003169971.tif 000014
【図１３】
0003169971.tif 000015
【図１４】
0003169971.tif 000016
【図１５】
0003169971.tif 000017
【図１６】
0003169971.tif 000018
【図１７】
0003169971.tif 000019
【図１８】
0003169971.tif 000020
【図１９】
0003169971.tif 000021
【図２０】
0003169971.tif 000022
【図２１】
0003169971.tif 000023
【図２２】
0003169971.tif 000024